(57)【要約】【課題】本発明は、装置内部のスペースを有効利用することにより、装置を小型化させたレンズ駆動装置を提供する。【解決手段】レンズ駆動装置１は、ベース部３に、光軸の方向に移動自在に支持された可動枠と、コイル４ａとマグネットとの協働によって可動枠を光軸の方向に移動させる焦点調整駆動部と、を備え、光軸に直交する平面において、ベース部３は四角形状となっており、コイル４ａは、ベース部３の一辺３ｚの近傍に固定されており、コイル４ａの端部４ｃは、ベース部３の隅部３ｘ，３ｙに対して離間するように内側に折り曲げられている。【選択図】図７
2014106467.tif 000002
【特許請求の範囲】
【請求項１】
ベース部に対して、光軸の方向にレンズを移動させるレンズ駆動装置において、
前記ベース部に、前記光軸の方向に移動自在に支持された可動枠と、
コイルとマグネットとの協働によって前記可動枠を前記光軸の方向に移動させる駆動部と、を備え、
前記光軸に直交する平面において、前記ベース部は、四角形状となっており、前記コイルは、前記ベース部の一辺の近傍に固定されており、前記コイルの端部は、前記ベース部の隅部に対して離間するように内側に折り曲げられていることを特徴とするレンズ駆動装置。
【請求項２】
前記可動枠を前記光軸の方向に移動させるための駆動信号を前記コイルに伝送するリードを備え、前記リードの一部は前記コイルの内側に配置されていることを特徴とする請求項１に記載のレンズ駆動装置。
【請求項３】
前記マグネットは、複数設けられており、
前記光軸に直交する平面において、前記コイルの前記端部のそれぞれに前記マグネットが対面していることを特徴とする請求項１又は２に記載のレンズ駆動装置。
【請求項４】
前記ベース部は、前記ベース部の一辺の近傍から前記光軸の方向に突出する突起部を備え、前記突起部には、前記コイルを前記光軸の方向に嵌め込むための凹部が設けられていることを特徴とする請求項１〜３のいずれか一項に記載のレンズ駆動装置。
【発明の詳細な説明】
【技術分野】
【０００１】
本発明は、レンズを光軸方向に移動させて焦点の調整又は焦点距離の変更を行い、レンズを光軸に対して直交する方向に移動させて像振れ補正を行うレンズ駆動装置に関する。
【背景技術】
【０００２】
従来、このような分野の技術文献として特開２０１２−１０３３７３号公報がある。この公報には、オートフォーカスカメラのレンズ駆動装置が記載されている。このレンズ駆動装置は、レンズを支持するレンズ支持体と、レンズ支持体の外周側に固定されているコイル体とを備えており、コイル体は、レンズを光軸方向に移動させるための複数の第１コイルと、手振れ補正用の複数の第２コイルとから成る。第１コイル及び第２コイルは、長円形を成しており、それぞれレンズ支持体の外周を囲むように配置されている。
【先行技術文献】
【特許文献】
【０００３】
【特許文献１】特開２０１２−１０３３７３号公報
【特許文献２】特開２０１２−１０３５５８号公報
【特許文献３】特開２０１１−２４７９０９号公報
【特許文献４】特開２０１１−６５１４０号公報
【発明の概要】
【発明が解決しようとする課題】
【０００４】
しかしながら、前述したように複数のコイルをレンズ支持体の外周を囲むように配置する場合、コイルが占めるスペースが大きいので、装置を小型化できないという課題がある。また、上記のように長円形のコイルを複数用いる場合、コイルの数に応じてコイルの両側に位置する湾曲部分（以下、Ｒ部とする）が占める領域が増大することとなり、このＲ部の領域の増大も装置の小型化の妨げとなる。
【０００５】
そこで、本発明は、装置内部のスペースを有効利用することにより、装置を小型化させたレンズ駆動装置を提供することを目的とする。
【課題を解決するための手段】
【０００６】
上記課題を解決するため、本発明は、ベース部に対して、光軸の方向にレンズを移動させるレンズ駆動装置において、ベース部に、光軸の方向に移動自在に支持された可動枠と、コイルとマグネットとの協働によって可動枠を光軸の方向に移動させる駆動部と、を備え、光軸に直交する平面において、ベース部は、四角形状となっており、コイルは、ベース部の一辺の近傍に固定されており、コイルの端部は、ベース部の隅部に対して離間するように内側に折り曲げられていることを特徴とする。
【０００７】
コイルの数を減らせばＲ部が占める領域が減ることとなるので、無駄なスペースを低減させることができ、装置の小型化が可能となる。しかしながら、一般的に、コイルの数を減らすと駆動力が低下することとなるので、所望の駆動力を得るにはコイルのサイズを大きくすることが必要であり、コイルのサイズを大きくすることによって装置の小型化が妨げられる虞がある。よって、装置の小型化を実現させるために、コイルのサイズを大きくしても装置全体のサイズが小さくなるようにするためには、装置内部のスペースを有効利用する必要がある。装置内部のスペースを有効利用するためには、コイルを配置する位置や、ベース部の形状について考慮する必要がある。そこで、まずコイルを配置する位置については、レンズがベース部の中心に配置されることを考慮して、ベース部の中心から離れた位置にすることでレンズの大型化を図ることができる。そして、ベース部の形状については、例えばベース部を円形とした場合、ベース部のサイズを大きくしなければ、大きなコイルをベース部の中心から離れた位置に配置することができないので、装置を小型化できず好ましくない。そこで、ベース部を四角形にすると、コイルをベース部の一辺に沿うように配置でき、大きなコイルをベース部の中心から離れた位置に配置することができる。以上のことを考慮して、本発明は、ベース部の形状を四角形状として、コイルをベース部の一辺の近傍に配置しているので、ベース部の一辺の近傍のスペースを有効利用することができ、ベース部が円形の場合と比較してベース部のサイズを大きくしなくてよいので、装置の小型化に寄与する。そして、コイルの端部をベース部の隅部から離間するように内側に折り曲げて配置しているので、コイルをより大型化することができ、所望の大きな駆動力を得ることができる。
【０００８】
また、可動枠を光軸の方向に移動させるための駆動信号をコイルに伝送するリードを備え、リードの一部はコイルの内側に配置されている。
このレンズ駆動装置によれば、コイルの内側にリードの一部が入り込んでいる。従って、コイルの内側のスペースをリードを配置するスペースとして有効活用できるので、装置内部のスペースを有効利用して装置の小型化に寄与する。
【０００９】
また、マグネットは、複数設けられており、光軸に直交する平面において、コイルの端部のそれぞれにマグネットが対面している。
所望の大きな駆動力を得るためには、マグネットの磁界の向きがコイルの表面に対して直交することが好ましい。しかしながら、折り曲げられた１個のマグネットをコイルに対面させる場合、コイルの端部において、マグネットの磁界の向きが傾きコイルの表面に対して直交しなくなるので、駆動力を十分に発揮できない。そこで、本発明では、複数のマグネットのそれぞれをコイルの端部に対面させているので、マグネットの磁界の向きがコイルの表面に対して直交することとなり、駆動力を十分に発揮させることができる。
【００１０】
また、ベース部は、ベース部の一辺の近傍から光軸の方向に突出する突起部を備え、突起部には、コイルを光軸の方向に嵌め込むための凹部が設けられている。
このレンズ駆動装置によれば、コイルをベース部の凹部に嵌め込むだけで簡単にベース部に固定させることができるので、装置の組み立てを容易に行うことができる。
【発明の効果】
【００１１】
本発明によれば、装置内部のスペースを有効利用することにより、装置を小型化させることができる。
【図面の簡単な説明】
【００１２】
【図１】本実施形態に係るレンズ駆動装置を示す斜視図である。
【図２】図１のレンズ駆動装置の蓋部を外した状態を示す斜視図である。
【図３】図１のレンズ駆動装置を示す分解斜視図である。
【図４】図１のレンズ駆動装置を示す分解斜視図である。
【図５】可動枠及びＦＰＣを示す斜視図である。
【図６】ベース部及びコイルを示す斜視図である。
【図７】ベース部及びコイルを示す断面図である。
【図８】ベース部及び可動枠を示す断面図である。
【図９】可動枠及びレンズ保持枠を示す断面図である。
【発明を実施するための形態】
【００１３】
以下、図面を参照しつつ本発明に係るレンズ駆動装置の好適な実施形態について詳細に説明する。
【００１４】
図１に示されるレンズ駆動装置は、像振れ補正を行うデジタルカメラ、携帯電話機あるいはスマートフォンに用いられ、撮像素子であるＣＣＤ［Charge  Coupled  Device］イメージセンサやＣＭＯＳ［Complementary  Metal  Oxide  Semiconductor］イメージセンサの前方に配置されて利用される。
【００１５】
図１〜図３に示されるように、レンズ駆動装置１は、直方体状の蓋体２と、蓋体２の開口を塞ぐための矩形状のベース部３と、焦点距離の調整を行う焦点調整駆動部（駆動部）４と外部回路との間の電気的接続を確保するための焦点調整用のフレキシブルプリント基板（以下、ＦＰＣとする）５と、像振れ補正駆動部６と外部回路との電気的接続を確保するための像振れ補正用のＦＰＣ７と、少なくとも１枚以上のレンズＲを収容する略円柱状のレンズバレル８と、を備えている。なお、以下では、レンズＲの光軸Ｃに対して直交する方向をＸ軸、光軸Ｃ方向及びＸ軸に直交する方向をＹ軸として説明する。
【００１６】
蓋体２は、レンズＲの光軸Ｃを中心とする円形の開口部２ａを有する箱状の部材であり、ベース部３は、光軸Ｃを中心とする円形の開口部３ａを有する矩形枠状の部材であり、光軸Ｃに直交する平面において四角形状となっている。レンズバレル８は、レンズＲを、開口部２ａ及び開口部３ａから露出させた状態で保持している。ベース部３は、ベース部３の周縁部の一辺から光軸Ｃの方向に突出する突起部３ｂを有しており、突起部３ｂの中央部には矩形状の開口部３ｃが形成されている。この開口部３ｃには、ＦＰＣ５の先端部５ａに固定されたＨ形の樹脂製絶縁板９が入り込み、開口部３ｃを塞いでいる。
【００１７】
ＦＰＣ７は、蓋体２及びベース部３から外方に延在する延長部７ｃを有すると共に、蓋体２及びベース部３に近接した部分では二股に分かれた分岐部７ａになっている。ＦＰＣ７の二股に分かれた分岐部７ａは、図２に示されるように、蓋体２の内部においてベース部３の係止突起３ｇに挟まれて固定されている。また、各分岐部７ａの先端部７ｂは、その内側が可動枠１０に固定され、先端部７ｂの外側には像振れ補正駆動部６のマグネット６ａ，６ｂの吸着力を増幅させるリターンヨーク１１が固定されている。先端部７ｂには、リターンヨーク１１が固定されている面の反対側の面に、磁気検出のためのホール素子１２が固定されている（図３参照）。
【００１８】
可動枠１０は、ベース部３に光軸Ｃ方向に移動自在に支持されている。図３〜図５に示されるように、可動枠１０は、光軸Ｃを中心とする円形の開口部１０ａと、片側の各隅部に形成された長円状のコイル装填部１０ｂと、球体１３が入り込む３個のボール載置凹部１０ｃ（図５参照）と、を有している。開口部１０ａにはレンズバレル８が入り込むようになっており、コイル装填部１０ｂには、像振れ補正駆動部６の長円状を成すコイル６ｃ，６ｄが嵌合されて固定される。また、可動枠１０は、可動枠１０の周縁部の片側で光軸Ｃの方向に突出するマグネット保持部１０ｅと、可動枠１０の隅部であって光軸Ｃを挟んでマグネット保持部１０ｅの対向側に設けられた２個の突起部１０ｆと、を備えている。
【００１９】
マグネット保持部１０ｅは、光軸Ｃ方向から見て三日月状に形成されており、マグネット保持部１０ｅの両端部１０ｇには、その外側において半円柱状に切り欠かれて光軸Ｃ方向に延在する球受け部１０ｈが設けられている。一方の球受け部１０ｈには２個の球体１５が入り込み、他方の球受け部１０ｈには１個の球体１５が入り込んでいるが、他方の球受け部１０ｈに２個の球体１５が入り込み、一方の球受け部１０ｈに１個の球体１５が入り込んでいてもよい。
【００２０】
図６及び図７に示されるように、ベース部３の突起部３ｂの両端に形成された支柱部３ｆには、半円柱状に切り欠かれた球受け部３ｄが３個形成されており、それぞれの球受け部３ｄは、上記の球受け部１０ｈに対応した位置に形成されている。また、支柱部３ｆの内側には、焦点調整駆動部４のコイル４ａ及びヨーク１６を嵌合させるための嵌合凹部３ｅが形成されている。嵌合凹部３ｅは、光軸Ｃ方向から見て、ベース部３の隅部３ｘ，３ｙから離間するように、ベース部３の一辺３ｚに対して約４５度傾斜している。各嵌合凹部３ｅは、支柱部３ｆの内側で光軸Ｃ方向に延在しており、それぞれの嵌合凹部３ｅがコイル４ａの端部４ｃとヨーク１６とを挟み込むことで、コイル４ａとヨーク１６がベース部３に光軸Ｃ方向に嵌合される。
【００２１】
コイル４ａは、巻回し軸が光軸Ｃに直交するように空芯状に巻回されている。コイル４ａは、光軸Ｃに直交する平面において、四角形状を成すベース部３の一辺３ｚの近傍に設けられており、コイル４ａの両端は、ベース部３の一辺３ｚの両端に位置する隅部３ｘ，３ｙから離間するように折り曲げ部４ｓ，４ｔで内側に折り曲げられている。コイル４ａは、光軸Ｃ方向から見て台形の上底部を成す中央部４ｂと、中央部４ｂの両側にそれぞれ位置する端部４ｃと、を有しており、中央部４ｂはベース部３の一辺３ｚに沿って配置されており、端部４ｃは中央部４ｂに対して内側に約４５度折り曲げられている。端部４ｃの外側には、それぞれヨーク１６が配置されている。
【００２２】
また、図５に示されるように、可動枠１０のマグネット保持部１０ｅの外周には、光軸Ｃ方向及びＹ軸方向に延在する平坦状のマグネット固定部１０ｉと、マグネット固定部１０ｉに対して４５度傾いて形成されるマグネット固定部１０ｊと、マグネット固定部１０ｉに対してマグネット固定部１０ｊの逆側に４５度傾いて形成されるマグネット固定部１０ｋと、が設けられている。マグネット固定部１０ｉ，１０ｊ，１０ｋのそれぞれには、焦点調整駆動部４のマグネット４ｄ，４ｅ，４ｆが固定される。可動枠１０がベース部３に保持された状態では、マグネット４ｄの外側に台形状のコイル４ａの中央部４ｂが対面し、マグネット４ｅ，４ｆの外側にコイル４ａのそれぞれの端部４ｃが対面している（図８参照）。
【００２３】
また、図６及び図７に示されるように、コイル４ａにおける中央部４ｂの内側のスペース４ｇには磁場検出素子であるホール素子１７が配置されており、ホール素子１７はＦＰＣ５の先端部５ａに固定されている。コイル４ａの内側のスペース４ｇにおけるホール素子１７の両側方には、コイル４ａの中央部４ｂから端部４ｃにかけて延在する２つの導電性のリード１８が配置されている。これらのリード１８は、ＦＰＣ５の先端部５ａに固定されており、可動枠１０を光軸Ｃの方向に移動させるための駆動信号をＦＰＣ５からコイル４ａに伝送する。
【００２４】
リード１８は、コイル４ａの中央部４ｂにおいてコイル４ａの内側のスペース４ｇに入り込んでいる。このように、リード１８の一部をコイル４ａの内側に入り込ませているので、コイル４ａの内側のスペース４ｇをリード１８を配置するスペースとして有効活用でき、レンズ駆動装置１の装置内部のスペースを有効利用して装置の小型化に寄与する。また、リード１８の湾曲部１８ｃは、中央部４ｂと端部４ｃとの境目付近で一旦内側に折り曲げられ、リード１８の両側の端部１８ａは、コイル４ａの両側の端部４ｃとベース部３の嵌合凹部３ｅの内側面３ｓとの間にそれぞれ挟まれており、リード１８の端部１８ａの内面１８ｄがそれぞれコイル４ａの端部４ｃの外面４ｘ，４ｙに接触することにより、リード１８はコイル４ａの端部４ｃのコイル線に電気的に接続されている。
【００２５】
以上のコイル４ａと、図８に示されるマグネット４ｄ，４ｅ，４ｆとが協働することによって、可動枠１０は、ベース部３に対して光軸Ｃ方向に移動し、焦点の調整及び焦点距離の変更を行うことが可能となる。また、ヨーク１６がコイル４ａの端部４ｃの外側に設けられることにより、ベース部３に嵌合されたヨーク１６が可動枠１０に固定されたマグネット４ｄ，４ｅ，４ｆに吸引されて、可動枠１０のベース部３に対する光軸Ｃに直交する方向への吸引力が発生する。また、可動枠１０の球受け部１０ｈ（図５参照）とベース部３の球受け部３ｄ（図４参照）との間に球体１５が介在した状態でベース部３と可動枠１０とが吸引されるので、可動枠１０が球体１５を介してベース部３に摺動自在に支持される。
【００２６】
また、図４に示されるように、可動枠１０の隅部に設けられた２個の突起部１０ｆには、それぞれ係合突起１０ｍが設けられており、突起部１０ｆの光軸Ｃを挟んで対向側に設けられるマグネット保持部１０ｅの両端部１０ｇには、その外側にそれぞれ係合突起１０ｎが設けられている。各係合突起１０ｍは、レンズ保持枠２０の浮き上がりを防止するための押さえ板２１の係合孔２１ａにそれぞれ係合され、各係合突起１０ｎは、押さえ板２１の係合孔２１ｂにそれぞれ係合される。これにより、可動枠１０と押さえ板２１とがレンズ保持枠２０を挟んだ状態で固定される。
【００２７】
図９に示されるように、レンズバレル８を保持するレンズ保持枠２０は、可動枠１０に対して、光軸Ｃの直交方向に移動自在に支持されている。レンズ保持枠２０は、レンズバレル８を嵌合させる円形の開口部２０ａと、マグネット６ａ，６ｂを固定させるマグネット嵌合孔２０ｂと、レンズ保持枠２０と可動枠１０とを互いに吸引させるための吸引マグネット２２を固定するためのマグネット嵌合凹部２０ｃと、球体１３を受け入れる球受け凹部２０ｄ（図４参照）と、を備えている。
【００２８】
マグネット嵌合孔２０ｂは、可動枠１０のコイル装填部１０ｂ（図６参照）に対応する位置に２個設けられている。マグネット嵌合孔２０ｂに嵌め込まれたマグネット６ａ，６ｂは、光軸Ｃ方向に、コイル装填部１０ｂに嵌め込まれたコイル６ｃ，６ｄと対面する。レンズ保持枠２０は、コイル６ｃ，６ｄとマグネット６ａ，６ｂとの協働によって、可動枠１０に対して光軸Ｃの直交方向に移動して像振れ補正を行うことが可能となる。
【００２９】
マグネット嵌合凹部２０ｃは、３個設けられており、それぞれのマグネット嵌合凹部２０ｃには、４極着磁された吸引マグネット２２が嵌め込まれる。また、図５に示されるように、可動枠１０は、フォーク状の鉄片１４を挿入するための孔部である金属片挿入部１０ｄを３個有しており、それぞれの金属片挿入部１０ｄはマグネット嵌合凹部２０ｃに対応する位置に設けられている。マグネット嵌合凹部２０ｃに嵌め込まれた吸引マグネット２２は、金属片挿入部１０ｄに挿入された鉄片１４と光軸Ｃ方向に対面するので、レンズ保持枠２０が可動枠１０に配置された状態では、吸引マグネット２２が鉄片１４を吸引することによりレンズ保持枠２０と可動枠１０とが引きつけ合っている。また、吸引マグネット２２の磁気吸引力は、マグネット６ａ，６ｂの磁気吸引力より強くなっているので、レンズ保持枠２０を可動枠１０に対して光軸Ｃの直交方向に移動させた際に確実にレンズ保持枠２０を可動枠１０内の定位置に戻すことができる。
【００３０】
球受け凹部２０ｄは、図４に示されるように、可動枠１０のボール載置凹部１０ｃ（図５参照）に対応する位置に３個設けられている。レンズ保持枠２０が可動枠１０に配置された状態では、球受け凹部２０ｄとボール載置凹部１０ｃとにより、球体１３が入る程度の大きさの空間が形成される。この球受け凹部２０ｄとボール載置凹部１０ｃとで形成される空間に球体１３を入れることにより、これらの球体１３でレンズ保持枠２０を移動自在に支持させる。また、光軸Ｃに直交する平面において、３個の球体１３を結ぶと二等辺三角形となり、レンズ保持枠２０が可動枠１０に三点支持されることとなる。よって、レンズ保持枠２０を可動枠１０に対して安定した状態で移動させることができる。
【００３１】
また、図３に示されるように、光軸Ｃ方向におけるレンズ保持枠２０の押さえ板２１側には、光軸Ｃ方向から見たときの形状が三日月状のバックヨーク２５が設けられている。このバックヨーク２５は、組み立て時には、レンズ保持枠２０のマグネット６ａ，６ｂ，２２（図９参照）に密着される。
【００３２】
次に、レンズ保持枠２０の動作について説明する。
【００３３】
レンズ駆動装置１が組み込まれた機器（例えばカメラ）で撮影しているときに手振れが発生すると、光軸Ｃの位置が変化することがある。この場合、ジャイロセンサ等の手振れ検出センサが手振れを検知し、制御手段（不図示）は、光軸Ｃの位置が所定位置に維持されるように、レンズ保持枠２０の駆動信号をＦＰＣ７を介してコイル６ｃ，６ｄに出力する。
【００３４】
そして、マグネット６ａ及びコイル６ｃは、図９に示されるように、マグネット６ａ，コイル６ｃと開口部２０ａ（レンズＲ）の中心Ｏとを結ぶ直線の方向に働く駆動力Ｆ１を発生させ、レンズ保持枠２０を可動枠１０内で駆動力Ｆ１が働く方向に移動させる。マグネット６ｂ及びコイル６ｄは、マグネット６ｂ，コイル６ｄと中心Ｏとを結ぶ直線の方向に働く駆動力Ｆ２を発生させ、レンズ保持枠２０を可動枠１０内で駆動力Ｆ２が働く方向に移動させる。この駆動力Ｆ１，Ｆ２が働く方向へのレンズ保持枠２０の移動により、光軸Ｃの位置が定位置に移動され、手振れが補正される。
【００３５】
このような構成を有するレンズ駆動装置１では、可動枠１０を光軸Ｃ方向に移動させるコイルとして、１個のコイル４ａのみを用いているので、複数のコイルを用いた場合と比較してＲ部が占める領域が減ることとなる。よって、無駄なスペースを低減させることができ、装置の小型化を実現させることができる。また、装置全体のサイズが小さくなるようにするためには、装置内部のスペースを有効利用する必要があり、装置内部のスペースを有効利用するためには、コイル４ａを配置する位置やベース部３の形状について考慮する必要がある。そこで、コイル４ａを配置する位置については、レンズＲがベース部３の中心に配置されることを考慮して、ベース部３の中心から離れた位置にしているので、レンズＲの大型化を図ることができる。そして、図７に示されるように、光軸Ｃに直交する平面におけるベース部３の形状を四角形としているので、コイル４ａをベース部３の一辺３ｚに沿うように配置でき、コイル４ａを大型化してもベース部３の中心から離れた位置に配置することができる。このように、ベース部３の形状を四角形状として、コイル４ａをベース部３の一辺３ｚの近傍に配置しているので、ベース部３の一辺３ｚの近傍のスペースを有効利用することができ、ベース部３の形状を円形とした場合と比較してベース部３のサイズを大きくしなくてよいので、装置の小型化に寄与する。そして、コイル４ａの端部４ｃをベース部３の隅部３ｘ，３ｙから離間するように内側に折り曲げて配置しているので、コイル４ａをより大型化することができ、所望の大きな駆動力を得ることができる。
【００３６】
また、図８に示されるマグネット４ｄ，４ｅ，４ｆに代えて、折り曲げられた１個のマグネットをコイル４ａに対面させることも可能である。しかしながら、この場合、コイル４ａの端部４ｃにおいて、マグネットの磁界の向きが傾き、磁界の向きがコイル４ａの表面に対して直交しなくなるので、駆動力を十分に発揮できない。そこで、複数のマグネット４ｄ，４ｅ，４ｆを用いて、マグネット４ｄ，４ｅ，４ｆのそれぞれをコイル４ａの中央部４ｂ、端部４ｃに対面させているので、マグネット４ｄ，４ｅ，４ｆの磁界の向きがコイル４ａの表面に対して直交することとなり、駆動力を十分に発揮させることができる。
【００３７】
また、ベース部３は、ベース部３の一辺３ｚの近傍から光軸Ｃの方向に突出する突起部３ｂを備え、突起部３ｂには、コイル４ａを光軸Ｃの方向に嵌め込むための嵌合凹部３ｅが設けられている。よって、コイル４ａをベース部３の嵌合凹部３ｅに嵌め込むだけで簡単にベース部３に固定させることができるので、装置の組み立てを容易に行うことができる。
【００３８】
本発明は、前述した実施形態に限定されるものではない。
【００３９】
リード１８は、その略中央部分に内側に曲がる折り曲げ部１８ｃを有していたが、この折り曲げ部１８ｃは、無くてもよい。また、リード１８は、ＦＰＣ５と一体でもよい。
【符号の説明】
【００４０】
１…レンズ駆動装置、３…ベース部、３ｂ…突起部、３ｅ…凹部、３ｘ，３ｙ…隅部、４…焦点調整駆動部（駆動部）、４ａ…コイル、４ｂ…中央部、４ｃ…端部、４ｄ，４ｅ，４ｆ…マグネット、４ｇ…内側、４ｘ，４ｙ…面、１０…可動枠、１８…リード、１８ｄ…面、Ｃ…光軸、Ｒ…レンズ。
【図１】
2014106467.tif 000003
【図２】
2014106467.tif 000004
【図３】
2014106467.tif 000005
【図４】
2014106467.tif 000006
【図５】
2014106467.tif 000007
【図６】
2014106467.tif 000008
【図７】
2014106467.tif 000009
【図８】
2014106467.tif 000010
【図９】
2014106467.tif 000011